(57)【要約】【課題】取り込んだ画像データの色と、画像データを変換した後に表示又は出力する際の色とが異ならない様にでき、さらに、異なる出力機器で同じ画像を出力しても双方で色が異ならない様にできる色再現性の高い画像処理装置とする。【解決手段】入力した画像データＧ１を入力用プロファイルＦ１を用いて標準色画像データＧ２に変換し、出力用プロファイルＦ３を用いて標準色画像データから出力用画像データＧ３を作成する画像処理装置１００，２００である。複数の入力用プロファイルを有する入力用プロファイルテーブルＴを備えており、画像データを記録媒体Ｃに記録した際に用いた記録用プロファイルＦ２の逆変換を行う入力用プロファイルＦ２ａを入力用プロファイルテーブルから選択し、当該選択した入力用プロファイルを用いて、入力した画像データから標準色画像データへの変換を行う。【選択図】  図１
2004179874.tif 000002
【特許請求の範囲】
【請求項１】
入力した画像データを入力用プロファイルを用いて標準色画像データに変換し、出力手段に応じた出力用プロファイルを用いて前記標準色画像データから出力用画像データを作成する画像処理装置において、
複数の入力用プロファイルを有する入力用プロファイルテーブルを備えており、
入力した画像データが記録媒体から読み出されたデジタルデータである場合には、当該画像データを記録媒体に記録した際に用いた記録用プロファイルの逆変換を行う入力用プロファイルを前記入力用プロファイルテーブルから選択し、当該選択した入力用プロファイルを用いて、入力した画像データから標準色画像データへの変換を行うことを特徴とする画像処理装置。
【請求項２】
前記入力用プロファイルテーブル内の入力用プロファイルには、それぞれの入力用プロファイルを特定するための特定情報が設定されており、
画像データを記録媒体に記録した際に用いた記録用プロファイルを特定する特定情報を入力することにより、前記入力用プロファイルテーブルから逆変換を行う入力用プロファイルを選択するようになっていることを特徴とする請求項１に記載の画像処理装置。
【請求項３】
前記記録用プロファイルを特定するために入力する特定情報が記録媒体に記録されており、当該記録媒体に記録された特定情報により、前記入力用プロファイルテーブルから逆変換を行う入力用プロファイルを選択するようになっていることを特徴とする請求項２に記載の画像処理装置。
【請求項４】
前記入力用プロファイルテーブルは通信回線を介して入力用プロファイル更新手段と接続されており、当該入力用プロファイル更新手段により入力用プロファイルが更新可能であることを特徴とする請求項１〜３のいずれか一項に記載の画像処理装置。
【請求項５】
前記入力用プロファイルテーブルは画像処理装置外に設けられており、通信回線を介して前記入力用プロファイルテーブルから入力用プロファイルを選択し、当該選択した入力用プロファイルを用いて、入力した画像データから標準色画像データへの変換を行うことを特徴とする請求項１〜３のいずれか一項に記載の画像処理装置。
【請求項６】
入力した画像データを入力用プロファイルを用いて標準色画像データに変換し、出力手段に応じた出力用プロファイルを用いて前記標準色画像データから出力用画像データを作成する画像処理装置において、
画像データの入力側の特性を有する入力装置用プロファイルと、
画像データの出力側の特性を有するメディア別プロファイルと、
外部から入力可能な画像形成プロファイルと、
を備え、
前記入力装置用プロファイル及びメディア別プロファイルは画像形成プロファイルによって補正可能であり、
当該画像形成プロファイルによって補正された前記入力装置用プロファイル又はメディア別プロファイルを入力用プロファイルとして、入力した画像データから標準色画像データへの変換を行うことを特徴とする画像処理装置。
【請求項７】
補正前の入力装置用プロファイル、補正前のメディア別プロファイル及び外部から入力された画像形成プロファイルを蓄積可能であることを特徴とする請求項６に記載の画像処理装置。
【請求項８】
入力した画像データを入力用プロファイルを用いて標準色画像データに変換し、出力手段に応じた出力用プロファイルを用いて前記標準色画像データから出力用画像データを作成する画像処理装置において、
画像データの入力側の特性を有する入力装置用プロファイルと、
画像データの出力側の特性を有する複数のメディア別プロファイルと、
を備え、
前記入力装置用プロファイルと複数の中から選択されたメディア別プロファイルを組み合わせて入力用プロファイルとし、入力した画像データから標準色画像データへの変換を行うことを特徴とする画像処理装置。
【請求項９】
前記入力装置用プロファイルとメディア別プロファイルとの組み合わせに対応した連動プロファイルを外部から入力可能となっており、
入力装置用プロファイル、メディア別プロファイル及び連動プロファイルによって入力用プロファイルを構成することを特徴とする請求項８に記載の画像処理装置。
【請求項１０】
前記組み合わせた入力用プロファイルに対して、唯一無比のＩＤが設定されており、これを元に外部からのプロファイルの更新が行われることを特徴とする請求項８又は９に記載の画像処理装置。
【請求項１１】
前記入力装置用プロファイルとメディア別プロファイルの組み合わせが許容されない組み合わせである場合には、その旨報知するようになっていることを特徴とする請求項８〜１０のいずれか一項に記載の画像処理装置。
【発明の詳細な説明】
【０００１】
【発明の属する技術分野】
本発明は、画像処理装置に関する。
【０００２】
【従来の技術】
従来、撮影済みの写真フィルムを顧客から預かり、現像及び印画紙へのプリントを行うアナログプリント方式のフォトサービスが行われている。
これに対し、近時、デジタルカメラによって撮影された写真の画像データを顧客から預かりデジタル方式でプリントするフォトサービスが行われるようになってきている。この場合は、デジタルカメラによって撮影された写真画像はすでに電子変換されたデジタル画像データであるので、画像の加工、修正、調整などの画像補正を容易に行うことができ、例えば、写真画像の傷、汚れなどが簡単に修正できるため、従来のアナログプリント方式に比べて、より顧客が満足できる写真プリントを提供することができる。
【０００３】
また最近では、撮影済みの写真フィルムを顧客から預かり、現像及び印画紙へのプリントを行うアナログプリント方式のフォトサービスのほか、撮影済みの写真フィルムを現像処理したのち、又は、顧客から現像済フィルム若しくはプリントされた写真を預かって、それをスキャナにより読み取って電子変換し、アナログ方式ではなくデジタル方式で印画紙にプリントするサービスも行われるようになってきている。このようにアナログ素材を電子変換してデジタル方式でプリントする場合、写真画像を電子変換されたデジタルデータとして扱うため、写真画像の加工、修正、調整などの画像補正を容易に行うことができ、例えば、写真画像の傷、汚れなどが簡単に修正できる。そのため、顧客からアナログ素材を預かる場合においても、従来のアナログプリント方式に比べて、より顧客が満足できる写真プリントを提供することができる。
【０００４】
また、デジタルデータとされた画像データを編集してデジタルフォトアルバムを構成しこれをコンパクトディスク（ＣＤＲ）などの汎用のデジタルメディアに保存したものを顧客の注文枚数提供するサービスが行われるなど、フォトサービスにおける写真の提供形態も多様になってきた。
さらに、前記したような処理を行う装置（フォトサービスシステム）において出力される画像の色再現性を向上させるシステムや方法（例えば、特許文献１参照。）、装置の負担を軽減させるシステムや方法（例えば、特許文献２参照。）等も考えられるようになってきた。
【０００５】
以下、従来のフォトサービスシステム（画像処理装置）について、具体例を挙げて説明する。
【０００６】
このうち、アナログ素材やデジタルデータを取り込んで、デジタル方式でプリントする場合には、フォトサービスシステム６００で、図５のブロック図に示すような処理が行われる。
【０００７】
まず、写真フィルム、写真プリント等のアナログ素材Ａを入力手段１（スキャナ等）がスキャンして、入力画像データＧ１として取り込み、この入力手段１に対応した入力機用プロファイルＦ１により入力画像データＧ１を標準色空間に変換して標準色画像データＧ２を取得する。
【０００８】
一方、メモリーカード、ＣＤＲなどのデジタルメディアに保存されたデジタルデータＤを読み取ることにより、又はインターネット等の通信回線を介したデジタルデータＤの送信により、標準色画像データＧ２を取得する場合もある。このときには、デジタルデータＤを、ＣＤ，ＤＶＤ，フロッピー（登録商標）ディスク，メモリーカード，ＨＤ等の機器毎やそのメーカ毎又はモデル毎で定められたプロファイル（メディア別プロファイルＦ５）によって標準色画像データＧ２に変換するようになっている。
【０００９】
次に、前記標準色画像データＧ２は、プリント手段（プリンタ）４に対応したプリント用プロファイルＦ１２により、プリント用画像データＧ２１に変換される。
そして、プリント手段（プリンタ）４において、前記プリント用画像データＧ２１に基づくプリントＰ２１を出力する。
【００１０】
これに対し、取り込んだアナログ素材やデジタルデータをデジタルアルバム等にするようにＣＤＲ等の記録媒体に書き込み、また、当該記録媒体に書き込まれた画像データ（デジタルデータ）をプリントする場合には、図１及び図４のブロック図に示すような処理が行われる。
【００１１】
まず、アナログ素材やデジタルデータを取り込んでデジタルアルバム等にするようにＣＤＲ等の記録媒体に書き込む場合について、図１を用いて説明する。
ここでは、フォトサービスシステム１００において、写真フィルム、写真プリント等のアナログ素材Ａを入力手段１（スキャナ等）がスキャンして、入力画像データＧ１として取り込み、この入力手段１に対応した入力機用プロファイルＦ１により入力画像データＧ１を標準色空間に変換して標準色画像データＧ２を取得する。
【００１２】
一方、メモリーカード、ＣＤＲなどのデジタルメディアに保存されたデジタルデータＤを読み取ることにより、又はインターネット等の通信回線を介したデジタルデータＤの送信により、標準色画像データＧ２を取得する場合もある。このときには、デジタルデータＤを、ＣＤ，ＤＶＤ，フロッピー（登録商標）ディスク，メモリーカード，ＨＤ等の機器毎やそのメーカ毎又はモデル毎で定められたプロファイル（メディア別プロファイルＦ５）によって標準色画像データＧ２に変換するようになっている。
【００１３】
次に、前記標準色画像データＧ２を、システム業者サービス業者推奨プロファイルＦ２により、画像データを書き込むデータ書込手段２に応じたデジタルアルバム用画像データＧ３に変換する。ここで、システム業者サービス業者推奨プロファイルＦ２とは、当該フォトサービスシステム（画像処理装置）１００のメーカ（システム業者）や装置設置店（サービス業者）が、標準色画像データＧ２を前記デジタルアルバム用画像データＧ３に変換する際のプロファイルとして最も適切と判断して予め設定したプロファイルである。
そして、データ書込手段（ここでは、ＣＤＲ書込装置）２において、デジタルアルバムとする記録媒体Ｃ（ここでは、ＣＤＲ）に対して、前記デジタルアルバム用画像データＧ３の書き込みを行う。
【００１４】
このようにして記録媒体（ここでは、ＣＤＲ）に書き込まれたデジタルデータ（ここでは、作成されたデジタルアルバムの画像データ）をプリントする場合について、図４を用いて説明する。
【００１５】
まず、フォトサービスシステム５００において、記録媒体Ｃを読み取り手段（ここでは、ＣＤＲ再生装置）３にかけて画像データの読み取りを行い、デジタルアルバム用画像データＧ３を取得する。
【００１６】
次に、図４の右よりに図示したように、標準プロファイルＦ１１により前記デジタルアルバム用画像データＧ３を中間画像データＧ１１に変換させる。ここで、標準プロファイルＦ１１とは、種々の読み取り手段から読み出された画像データを標準色空間の画像データに変換するための標準的なプロファイル（汎用プロファイル）である。
【００１７】
それから、プリント手段（プリンタ）４に応じたプリント用プロファイルＦ１２により前記中間画像データＧ１１をプリント用画像データＧ１２に変換させる。そして、プリント手段（プリンタ）４において、前記プリント用画像データＧ１２に基づくプリントＰ１１を出力する。
【００１８】
なお、ＣＤＲ等の記録媒体に書き込まれた画像データをプリントする場合には、前記したように、デジタルアルバム用画像データＧ３を、一旦、中間画像データＧ１１に変換させた後に、プリント用画像データＧ１２に変換させる場合の他、図４の左よりに図示したように、デジタルアルバム用画像データＧ３を直接、プリント手段（プリンタ）４に応じたプリント用プロファイルＦ１２によりプリント用画像データＧ１３に変換させる場合もある。このときには、前記プリント用画像データＧ１３は、プリント手段（プリンタ）４において、プリントＰ１２として出力される。
【００１９】
【特許文献１】
特開２００２−１５２５３２号公報
【特許文献２】
特開２００２−１３５６０５号公報
【００２０】
【発明が解決しようとする課題】
しかし、従来のフォトサービスシステム（画像処理装置）の場合では、デジタルアルバムを作成するときに標準色画像データをデジタルアルバム用画像データに変換する際に用いるプロファイル（システム業者サービス業者推奨プロファイル）と、デジタルアルバムから画像データを取り出してプリントするときにデジタルアルバム用画像データを標準色空間の画像データに変換する際に用いるプロファイルとが異なる場合があり、この場合には、最初に取り込んだ画像データ（例えば、写真プリント等から得た画像データ）と、プリント手段で出力したプリントとの色が異なる虞があるという問題があった。特に、デジタルアルバムを作成したフォトサービスシステム（画像処理装置）と、デジタルアルバムからプリントを行う際のフォトサービスシステム（画像処理装置）が、異なるメーカのものである場合や異なるサービス業者である場合等には、画像の色が異なる可能性が高くなる。
また、一のフォトサービスシステム（画像処理装置）で画像データをプリントした後、他のフォトサービスシステム（画像処理装置）でプリントするときなど（焼き増しをする際等）に、双方のプリントの色が異なってしまう虞もある。
【００２１】
なお、デジタルアルバムから画像データを取り出してプリントを行うときにおけるデジタルアルバム用画像データを変換する際に、標準プロファイルによる変換を介さず（一旦中間画像データに変換せず）、直接、プリント用プロファイルでプリント用画像データに変換してしまう場合は、当然、最初に取り込んだ画像データ（例えば、写真プリント等から得た画像データ）と、プリント手段で出力したプリントとの色が異なる可能性が高い。
【００２２】
本発明は、以上の従来技術における問題に鑑みてなされたものであって、取り込んだ画像データの色と、画像データをプロファイルを用いて変換した後に表示又は出力する際の色とが異なるものとならないようにでき、さらに、異なる出力機器で同じ画像を出力しても双方で色が異ならないようにできる色再現性の高い画像処理装置を提供することを課題とする。
【００２３】
【課題を解決するための手段】
上記課題を解決するため、請求項１記載の発明は、
入力した画像データを入力用プロファイルを用いて標準色画像データに変換し、出力手段に応じた出力用プロファイルを用いて前記標準色画像データから出力用画像データを作成する画像処理装置において、
複数の入力用プロファイルを有する入力用プロファイルテーブルを備えており、
入力した画像データが記録媒体から読み出されたデジタルデータである場合には、当該画像データを記録媒体に記録した際に用いた記録用プロファイルの逆変換を行う入力用プロファイルを前記入力用プロファイルテーブルから選択し、当該選択した入力用プロファイルを用いて、入力した画像データから標準色画像データへの変換を行うことを特徴としている。
【００２４】
請求項１に記載の発明によれば、画像処理装置に、複数の入力用プロファイルを有する入力用プロファイルテーブルを備えており、画像データを記録媒体に記録した際に用いた記録用プロファイルの逆変換を行う入力用プロファイルを前記入力用プロファイルテーブルから選択し、当該選択した入力用プロファイルを用いて、入力した画像データから標準色画像データへの変換を行うようになっているため、取り込んだ画像データの色と、画像データをプロファイルを用いて変換した後に表示又は出力する際の色とが異なるものとならないようにでき、さらに、異なる出力機器で同じ画像を出力しても双方で色が異ならないようにできる。
【００２５】
請求項２に記載の発明は、請求項１に記載の画像処理装置において、
前記入力用プロファイルテーブル内の入力用プロファイルには、それぞれの入力用プロファイルを特定するための特定情報が設定されており、
画像データを記録媒体に記録した際に用いた記録用プロファイルを特定する特定情報を入力することにより、前記入力用プロファイルテーブルから逆変換を行う入力用プロファイルを選択するようになっていることを特徴としている。
【００２６】
請求項２に記載の発明によれば、記録用プロファイルと、入力用プロファイルテーブル内の入力用プロファイルに対して、それぞれ変数等による特定情報が設定されているため、当該特定情報を入力するだけで簡単にプロファイルを特定することができ、その結果、簡単に画像データの色が異ならない画像を再現することができる。
【００２７】
請求項３に記載の発明は、請求項２に記載の画像処理装置において、
前記記録用プロファイルを特定するために入力する特定情報が記録媒体に記録されており、当該記録媒体に記録された特定情報により、前記入力用プロファイルテーブルから逆変換を行う入力用プロファイルを選択するようになっていることを特徴としている。
【００２８】
請求項３に記載の発明によれば、記録用プロファイルを特定するために入力する特定情報が記録媒体に記録されているため、プログラムにより自動的にプロファイルを特定することができ、より簡単に画像データの色が異ならない画像を再現することができる。
【００２９】
請求項４に記載の発明は、請求項１〜３のいずれか一項に記載の画像処理装置において、
前記入力用プロファイルテーブルは通信回線を介して入力用プロファイル更新手段と接続されており、当該入力用プロファイル更新手段により入力用プロファイルが更新可能であることを特徴としている。
【００３０】
請求項４に記載の発明によれば、入力用プロファイルテーブルは通信回線を介して入力用プロファイル更新手段と接続されており、当該入力用プロファイル更新手段により入力用プロファイルが更新可能となっているため、プロファイルが変更になったり、新しいプロファイルの追加が必要となったりしたときでも、簡単、確実にテーブル内にプロファイルの変更や追加を行うことができる。
【００３１】
請求項５に記載の発明は、請求項１〜３のいずれか一項に記載の画像処理装置において、
前記入力用プロファイルテーブルは画像処理装置外に設けられており、通信回線を介して前記入力用プロファイルテーブルから入力用プロファイルを選択し、当該選択した入力用プロファイルを用いて、入力した画像データから標準色画像データへの変換を行うことを特徴としている。
【００３２】
請求項５に記載の発明によれば、入力用プロファイルテーブルは画像処理装置外に設けられており、通信回線を介して前記入力用プロファイルテーブルから入力用プロファイルを選択し、当該選択した入力用プロファイルを用いて、入力した画像データから標準色画像データへの変換を行うようになっているため、プロファイルが変更になったり、新しいプロファイルの追加が必要となったりしたときでも、簡単、確実にテーブル内にプロファイルの変更や追加を行うことができる。
【００３３】
請求項６記載の発明は、
入力した画像データを入力用プロファイルを用いて標準色画像データに変換し、出力手段に応じた出力用プロファイルを用いて前記標準色画像データから出力用画像データを作成する画像処理装置において、
画像データの入力側の特性を有する入力装置用プロファイルと、
画像データの出力側の特性を有するメディア別プロファイルと、
外部から入力可能な画像形成プロファイルと、
を備え、
前記入力装置用プロファイル及びメディア別プロファイルは画像形成プロファイルによって補正可能であり、
当該画像形成プロファイルによって補正された前記入力装置用プロファイル又はメディア別プロファイルを入力用プロファイルとして、入力した画像データから標準色画像データへの変換を行うことを特徴としている。
【００３４】
請求項６に記載の発明によれば、入力した画像データを標準色画像データに変換する際の入力用プロファイルとして、前記入力した画像データに応じた画像形成プロファイルによって補正された入力装置用プロファイル又はメディア別プロファイルを用いるため、取り込んだ画像データの色と、画像データをプロファイルを用いて変換した後に表示又は出力する際の色とが異なるものとならないようにでき、さらに、異なる出力機器で同じ画像を出力しても双方で色が異ならないようにできる。
【００３５】
請求項７に記載の発明は、請求項６に記載の画像処理装置において、
補正前の入力装置用プロファイル、補正前のメディア別プロファイル及び外部から入力された画像形成プロファイルを蓄積可能であることを特徴としている。
【００３６】
請求項７に記載の発明によれば、画像形成プロファイルを外部から入力する必要がある場合に、補正前の入力装置用プロファイル、補正前のメディア別プロファイル及び外部から入力された画像形成プロファイルを蓄積可能であるため、一度、標準色画像データへの変換を行った画像データに用いる入力用プロファイルをすぐに取り出すことができ、効率的に画像処理を行うことができる。
【００３７】
請求項８に記載の発明は、
入力した画像データを入力用プロファイルを用いて標準色画像データに変換し、出力手段に応じた出力用プロファイルを用いて前記標準色画像データから出力用画像データを作成する画像処理装置において、
画像データの入力側の特性を有する入力装置用プロファイルと、
画像データの出力側の特性を有する複数のメディア別プロファイルと、
を備え、
前記入力装置用プロファイルと複数の中から選択されたメディア別プロファイルを組み合わせて入力用プロファイルとし、入力した画像データから標準色画像データへの変換を行うことを特徴としている。
【００３８】
請求項８に記載の発明によれば、入力した画像データを標準色画像データに変換する際に、前記入力した画像データに応じて、入力装置用プロファイルと複数の中から選択されたメディア別プロファイルを組み合わせた入力用プロファイルを用いるため、取り込んだ画像データの色と、画像データをプロファイルを用いて変換した後に表示又は出力する際の色とが異なるものとならないようにでき、さらに、異なる出力機器で同じ画像を出力しても双方で色が異ならないようにできる。
【００３９】
請求項９に記載の発明は、請求項８に記載の画像処理装置において、
前記入力装置用プロファイルとメディア別プロファイルとの組み合わせに対応した連動プロファイルを外部から入力可能となっており、
入力装置用プロファイル、メディア別プロファイル及び連動プロファイルによって入力用プロファイルを構成することを特徴としている。
【００４０】
請求項９に記載の発明によれば、入力装置用プロファイル、メディア別プロファイル及び両者の組み合わせに対応した連動プロファイルによって入力用プロファイルを構成するため、よりスムーズに入力用プロファイルを形成することができる。
【００４１】
請求項１０に記載の発明は、請求項８又は９に記載の画像処理装置において、前記組み合わせた入力用プロファイルに対して、唯一無比のＩＤが設定されており、これを元に外部からのプロファイルの更新が行われることを特徴としている。
【００４２】
請求項１０に記載の発明によれば、入力した画像データに応じた入力用プロファイルを組み合わせによって形成した後に、当該プロファイルの変更等により更新が行われる際に、プロファイルに対して唯一無比のＩＤが設定されているため、簡単に更新を行うことができる。
【００４３】
請求項１１に記載の発明は、請求項８〜１０のいずれか一項に記載の画像処理装置において、
前記入力装置用プロファイルとメディア別プロファイルの組み合わせが許容されない組み合わせである場合には、その旨報知するようになっていることを特徴としている。
【００４４】
請求項１１に記載の発明によれば、入力装置用プロファイルとメディア別プロファイルの組み合わせが許容されない組み合わせである場合には、その旨報知するようになっているため、操作者は当該報知によって状況を把握することができ、次の対策をとる（ベストではなくとも、ベターである組み合わせを考える等）ことができる。
【００４５】
【発明の実施の形態】
以下に本発明の一実施形態につき図面を参照して説明する。以下は本発明の一実施形態であって本発明を限定するものではない。
【００４６】
図１及び図２は本発明の一実施形態のフォトサービスシステム（画像処理装置）１００，２００を示すブロック図である。なお、従来例と同様のものについては、従来例と同じ符号を付している。また、図示しないが、この実施の形態のフォトサービスシステム（画像処理装置）１００は、特にアナログ素材から画像データを取り込む入力手段１としてのスキャナ（スキャナとしては、プリント用のものとフィルム用のものを備えている）、デジタルデータによる画像データを読み取る読み取り手段３としてのＣＤＲ再生装置、出力手段のうちのデータ書込手段２としてのＣＤＲ書込装置、出力手段のうちのプリント手段４としてのプリンタ及び種々の作業の操作を行うパソコン（画像処理部１１０，２１０を含む）等が接続された構成となっている。
【００４７】
ここでは特に、フォトサービスシステム（画像処理装置）１００において、アナログ素材やデジタルデータを取り込んで、ＣＤＲ等の記録媒体にデータを書き込んでデジタルアルバムなどを作成し、フォトサービスシステム（画像処理装置）２００において、前記デジタルアルバムの画像データからデジタル方式でプリントする場合について説明する。
【００４８】
まず、アナログ素材やデジタルデータを取り込んでデジタルアルバム等にするようにＣＤＲ等の記録媒体に書き込む場合について、図１を用いて説明する。
ここでは、フォトサービスシステム１００において、写真フィルム、写真プリント等のアナログ素材Ａを入力手段１（スキャナ等）がスキャンして、画像処理部１１０（ここではフォトサービスシステムにおけるパソコンが相当する）の中に入力画像データＧ１として取り込む。そして、この入力手段１に対応した色再現性を持つ入力機用プロファイル（入力用プロファイル）Ｆ１により入力画像データＧ１を標準色空間に変換して標準色画像データＧ２を取得する。
【００４９】
ここで、標準色空間について説明する。
【００５０】
従来、スキャナ、デジタルカメラ、カラープリンタ、カラーコピー機、ＣＲＴ、液晶モニタ等のカラー画像の入出力を行う画像機器は、機器の種類が異なる場合はもとより、同じ機器でもメーカやモデルが異なると、そのメーカやモデルによって色再現特性がばらつくことが知られる。
しかし、近年、画像機器の急速な普及に従い、画像機器の色再現特性の標準規格の策定が進められており、モニタ、スキャナ、プリンタといったデバイス間での正確な色再現を実現するカラーマネージメントシステムが種々提案されている。
【００５１】
このような中で、ＩＣＣでは、各画像機器の色再現特性のデータファイルであるＩＣＣプロファイル形式を定義し、異なる画像機器の間で色を忠実に再現する枠組み、つまりカラーマネージメントシステムのデータファイルを標準化している。（Ｉｎｔｅｒｎａｔｉｏｎａｌ  Ｃｏｌｏｒ  Ｃｏｎｓｏｒｔｉｕｍ，  ”Ｆｉｌｅ  Ｆｏｒｍａｔ  ｆｏｒ  Ｃｏｌｏｒ  Ｐｒｏｆｉｌｅｓ”，  Ｓｐｅｃｉｆｉｃａｔｉｏｎ：  ＩＣＣ．１：１９９８−０９，  １９９８．）
【００５２】
すなわちこの取り組みは、デバイスに依存しない色空間として標準色空間（標準カラースペース、ＰＣＳ空間）を用意し、デバイス間の色のやりとりは全てこの標準色空間を介して行うことで正確な色あわせを実現するものである。詳細には、スキャナ、デジタルカメラ等の入力機器固有のカラースペースから標準色空間への変換を行う変換テーブルを備える入力機用プロファイルと、標準色空間からディスプレイ、プリンタ等の出力機器固有のカラースペースへの変換を行う変換テーブルを備える出力機用プロファイルとを用意し、両プロファイルに基づいて、画像データの色補正処理（すなわち、カラーマッチング処理）を行うことにより、入力機器で得られた画像を出力機器に正しい色の画像でもって再現する。
【００５３】
ＰＣＳ空間はＲＧＢやＣＭＹＫのようにデバイスごとに異なる色の見えを持つ色空間ではなく、ＣＩＥＬＡＢやＣＩＥＸＹＺといったデバイスに依存しない色空間である。そして、各画像機器メーカは、ＰＣＳからその機器固有の色空間への変換とその逆変換を可能とするその画像機器の色再現特性に関するデータファイルであるプロファイルを製品に添付することにより、接続される多様な機器を意識することなく、カラーマネージメントシステムに対応することができる。
【００５４】
一方、前記した写真フィルム、写真プリント等のアナログ素材Ａに対して、メモリーカード、ＣＤＲなどのデジタルメディアに保存されたデジタルデータＤの場合は、このデジタルデータＤを読み取ることにより、又はインターネット等の通信回線を介したデジタルデータＤの送信により、標準色画像データＧ２を取得する。このときには、デジタルデータＤを、ＣＤ，ＤＶＤ，フロッピー（登録商標）ディスク，メモリーカード，ＨＤ等の機器毎やそのメーカ毎又はモデル毎で定められた入力用プロファイル（メディア別プロファイルＦ５）によって標準色画像データＧ２に変換するようになっている。
【００５５】
次に、前記標準色画像データＧ２を、システム業者サービス業者推奨プロファイル（記録用プロファイル）Ｆ２により、画像データを書き込むデータ書込手段２に応じたデジタルアルバム用画像データ（出力用画像データ）Ｇ３に変換する。ここで、システム業者サービス業者推奨プロファイルＦ２とは、当該フォトサービスシステム（画像処理装置）１００のメーカ（システム業者）や装置設置店（サービス業者）が、標準色画像データＧ２を前記デジタルアルバム用画像データＧ３に変換する際のプロファイルとして最も適切と判断して予め設定したプロファイルである。
【００５６】
そして、データ書込手段（ここでは、ＣＤＲ書込装置）２において、デジタルアルバムとする記録媒体Ｃ（ここでは、ＣＤＲ）に対して、前記デジタルアルバム用画像データＧ３の書き込みを行う。
この実施の形態では、デジタルアルバム用画像データＧ３を記録媒体Ｃに書き込む際、同時に、前記システム業者サービス業者推奨プロファイルＦ２に予め定められた特定情報としての変数を書き込むようになっている。
【００５７】
なお、前記特定情報としては変数以外の形であっても良い。また、特定情報は、画像データを書き込む毎に記録媒体に書き込むのみでなく、記録媒体の記録箇所の最初や最後等に書き込むようになっていても良い。
さらに、特定情報は、記録媒体に書き込む以外に、ユーザからフォトサービスシステムの管理者に口頭で伝えられたり、記録媒体のラベルやケース等に記載されている場合もある。
【００５８】
このようにして記録媒体（ここでは、ＣＤＲ）に書き込まれたデジタルデータ（ここでは、作成されたデジタルアルバムの画像データ）をプリントする場合について、図２を用いて説明する。
【００５９】
まず、フォトサービスシステム２００において、記録媒体Ｃを読み取り手段（ここでは、ＣＤＲ再生装置）３にかけて画像データの読み取りを行い、デジタルアルバム用画像データＧ３を取得する。
【００６０】
次に、入力用プロファイルとしての適合プロファイルＦ２ａにより前記デジタルアルバム用画像データＧ３を標準色画像データＧ２に変換させる。
【００６１】
ここで、適合プロファイルＦ２ａについて説明する。
この実施の形態におけるフォトサービスシステム２００では、種々のメーカ（システム業者）や装置設置店（サービス業者）が入力用プロファイルとして使用するプロファイルを、システム業者情報サービス業者情報テーブル（入力用プロファイルテーブル）Ｔとして複数有している。そして、当該システム業者情報サービス業者情報テーブルＴの中から、デジタルアルバム用画像データＧ３を作成した際に用いたシステム業者サービス業者推奨プロファイル（記録用プロファイル）Ｆ２の逆変換（すなわち、デジタルアルバム用画像データＧ３を標準色画像データＧ２に変換すること）を行うための入力用プロファイルを適合プロファイルＦ２ａとして選択し、これを介して、デジタルアルバム用画像データＧ３を標準色画像データＧ２に変換する。これにより、デジタルアルバムを作成する際の標準色画像データの色を忠実に再現するこができる。
【００６２】
なお、この実施の形態では、記録媒体Ｃに、システム業者サービス業者推奨プロファイルＦ２の特定情報としての変数が書き込まれており、また、システム業者情報サービス業者情報テーブルＴの中のプロファイル（入力用プロファイル）についても特定情報としての変数が設定されている。そして、双方の特定情報の照合により、簡単に逆変換を行う入力用プロファイル（適合プロファイル）Ｆ２ａを特定することができる。
【００６３】
ここで、記録媒体Ｃに書き込まれた特定情報（システム業者サービス業者推奨プロファイルＦ２の特定情報）と、複数の特定情報及び該特定情報に対応した入力用プロファイルを有するシステム業者情報サービス業者情報テーブルＴの一例を挙げる。
【００６４】
まず、システム業者情報サービス業者情報テーブルＴにおいては、フォトサービスシステムの製造メーカ（システム業者）毎に、例えば、Ｓ１、Ｓ２、Ｓ３、…というシステム業者情報（変数）が設定されており、さらに各製造メーカにおける機種等の違いにより、１、２、３、…という情報が付加される。その結果、Ｓ１１（Ｓ１社の１という機種）、Ｓ１２（Ｓ１社の２という機種）、Ｓ１３、…や、Ｓ２１（Ｓ２社の１という機種）、Ｓ２２（Ｓ２社の２という機種）、Ｓ２３、…という変数による特定情報が設定されるようになっている。なお、装置設置店（サービス業者）によってシステム業者オリジナルのプロファイルをカスタマイズして、独自のシステム業者サービス業者推奨プロファイルを設定している等の場合には、さらにその情報を付加して特定情報を設定したり（すなわち、オリジナルのＳ１１に付加情報ａを足してＳ１１ａとしたりすること）、全く異なる特定情報を割り振ったりして対応すればよい。
【００６５】
そして、前記のようにして設定された各特定情報と対応する入力用プロファイル（逆変換用プロファイル）が、フォトサービスシステム２００に特定情報分だけ備えられている。この入力用プロファイルとしては、例えば、青色、赤色、緑色のそれぞれの光成分毎に、入力と出力の関係を示す変換カーブ（入力されたデジタルアルバム用画像データのそれぞれの光を標準色画像データの光に変換するための対応表や対応グラフ）を有するプログラムとなっており、これによって、入力されたデジタルアルバム用画像データを標準色画像データに変換可能となっている。
【００６６】
さらに、記録媒体Ｃに書き込まれた特定情報は、フォトサービスシステム１００において標準色画像データＧ２からデジタルアルバム用画像データＧ３に変換したシステム業者サービス業者推奨プロファイル（記録用プロファイル）Ｆ２に対応した変数となっており、また、当該特定情報（変数）は、フォトサービスシステム２００においてデジタルアルバム用画像データＧ３を標準色画像データＧ２に逆変換する入力用プロファイルとしての適合プロファイルＦ２ａに設定された特定情報（変数）と一致するようになっている。
従って、記録媒体Ｃに書き込まれた特定情報と一致する特定情報を、システム業者情報サービス業者情報テーブルＴの中から選び、当該特定情報に対応する入力用プロファイルを用いてデータ変換すれば、記録媒体から入力されたデジタルアルバム用画像データを、忠実に元の標準色画像データに逆変換することができる。
【００６７】
なお、この実施の形態では、システム業者サービス業者推奨プロファイル（入力用プロファイルテーブル）Ｆ２は、インターネット等の通信回線を介して入力用プロファイル更新手段としての更新用サーバＳ１と接続されている。そして、新しいプロファイルが追加されたりプロファイルの変更が生じたりする毎又は定期的に更新用サーバＳ１により、入力用プロファイルが更新されるようになっている。
【００６８】
また、入力用プロファイルの更新については、図３に示すように、入力用プロファイルテーブルが、画像処理装置２００外にシステム業者情報サービス業者情報テーブルサーバＳ２として設けられており、常に通信回線を介して入力用プロファイルテーブルＳ２から適合する入力用プロファイルを選択するようになっていても良い。この様になっていれば、サーバ側で簡単にプロファイルの変更や追加を行うことができる。
【００６９】
それから、プリント手段（プリンタ）４に応じたプリント用プロファイル（出力用プロファイル）Ｆ３により前記標準色画像データＧ２をプリント用画像データ（出力用画像データ）Ｇ４に変換させる。そして、プリント手段（プリンタ）４において、前記プリント用画像データＧ４に基づくプリントＰ１を出力する。
【００７０】
なお、本実施形態においては、入力手段や出力手段として、プリンタやＣＤＲ書込装置、ＣＤＲ再生装置等を用いたが、これに限るものではなく、ＦＤ記録装置やＤＶＤ書込装置等の他の手段を出力手段としても良い。
【００７１】
また、本実施形態では、入力した画像データに応じた逆変換を行う（すなわち、入力した画像データにおける元の標準色画像データの色を忠実に再現する）入力用プロファイルとして使用するプロファイル自体を、システム業者サービス業者情報テーブル（入力用プロファイルテーブル）内に備えているが、これに限るものではない。
【００７２】
例えば、前記した入力装置用プロファイル及びメディア別プロファイルは外部から入力可能な画像形成プロファイルによって補正可能となっており、当該画像形成プロファイルによって補正された前記入力装置用プロファイル又はメディア別プロファイルを入力用プロファイルとして、入力した画像データから標準色画像データへの変換（逆変換）を行うようになっていても良い。
【００７３】
なお、ここで、画像形成プロファイルとは、入力した画像データに応じた逆変換を行うために、入力装置用プロファイル又はメディア別プロファイルを修正するか、入力装置用プロファイル又はメディア別プロファイルから置き換えられるためのプロファイルであり、画像処理装置（フォトサービスシステム）の外部から入力（例えば、システム業者が保有、更新しているサーバからインターネットなどの通信回線を通して取り込む等）可能となっている。また、ここでいうメディア別プロファイルは、機器毎若しくは機器におけるメーカ毎程度の種類を有していればよい（モデルや機種等の細かい部分についての設定は画像形成プロファイルで対応すればよい。）。
【００７４】
さらに、画像形成プロファイルによって補正を行う際に、入力装置用プロファイルを基にして補正を行うか、メディア別プロファイルを基にして補正を行うかは、入力した画像データやその他種々の条件に応じて決定すればよい。そして、この場合には、前記記録媒体に書き込む特定情報は、画像形成プロファイルの特定情報となる（場合によっては、メディア別プロファイルの情報も付加する。）。
【００７５】
さらに、ここで、画像処理装置（フォトサービスシステム）において、補正前の入力装置用プロファイル、補正前のメディア別プロファイル及び外部から入力された画像形成プロファイルを蓄積可能となっていても良い。これにより、一度、標準色画像データへの変換を行った画像データに用いる入力用プロファイルをすぐに取り出すことができ、同様の画像データに対する画像処理を行う際に、何度も同じ作業（インターネット上からの画像形成プロファイルの取り込み等）を行わずに済み、効率的に画像処理を行うことができる。
【００７６】
また、他の例として、前記した入力装置用プロファイルと複数の中から選択（入力した画像データに適するように選択）されたメディア別プロファイルを組み合わせて、入力した画像データに応じた入力用プロファイルを形成し、当該入力用プロファイルで、入力した画像データから標準色画像データへの変換（逆変換）を行うようになっていても良い。この場合には、前記記録媒体に書き込む特定情報は、メディア別プロファイルの特定情報となる。
【００７７】
なお、前記入力装置用プロファイルとメディア別プロファイルとの組み合わせに対応した連動プロファイルを外部から入力可能となっており、入力装置用プロファイル、メディア別プロファイル及び連動プロファイルによって入力用プロファイルを構成するようになっていても良い。ここで、連動プロファイルとは、入力した画像データに応じた逆変換を行うために、入力装置用プロファイル及びメディア別プロファイルを修正して入力用プロファイルを構成するプロファイルであり、画像処理装置（フォトサービスシステム）の外部から入力（例えば、システム業者が保有、更新しているサーバからインターネットなどの通信回線を通して取り込む等）可能となっている。また、連動プロファイルが存在する場合には、ここでいうメディア別プロファイルは、機器毎若しくは機器におけるメーカ毎程度の種類を有していればよい（モデルや機種等の細かい部分についての設定は連動プロファイルで対応すればよい。）。そして、この場合には、前記記録媒体に書き込む特定情報は、連動プロファイルの特定情報となる（場合によっては、メディア別プロファイルの情報も付加する。）。
【００７８】
さらに、前記組み合わせた入力用プロファイルに対して、唯一無比のＩＤが設定されていても良い。そして、プロファイルの変更等により更新が行われる際には、前記ＩＤを元に外部からのプロファイルの更新が行われるようになっていても良い。
【００７９】
またさらに、前記入力装置用プロファイルとメディア別プロファイルの組み合わせが、プログラム上の制約、システム業者やサービス業者間の取り決め等により、許容されない組み合わせである場合には、その旨報知するようになっていても良い。
【００８０】
【発明の効果】
請求項１に記載の発明によれば、画像処理装置に、複数の入力用プロファイルを有する入力用プロファイルテーブルを備えており、画像データを記録媒体に記録した際に用いた記録用プロファイルの逆変換を行う入力用プロファイルを前記入力用プロファイルテーブルから選択し、当該選択した入力用プロファイルを用いて、入力した画像データから標準色画像データへの変換を行うようになっているため、取り込んだ画像データの色と、画像データをプロファイルを用いて変換した後に表示又は出力する際の色とが異なるものとならないようにでき、さらに、異なる出力機器で同じ画像を出力しても双方で色が異ならないようにできる。
【００８１】
請求項２に記載の発明によれば、記録用プロファイルと、入力用プロファイルテーブル内の入力用プロファイルに対して、それぞれ変数等による特定情報が設定されているため、当該特定情報を入力するだけで簡単にプロファイルを特定することができ、その結果、簡単に画像データの色が異ならない画像を再現することができる。
【００８２】
請求項３に記載の発明によれば、記録用プロファイルを特定するために入力する特定情報が記録媒体に記録されているため、プログラムにより自動的にプロファイルを特定することができ、より簡単に画像データの色が異ならない画像を再現することができる。
【００８３】
請求項４に記載の発明によれば、入力用プロファイルテーブルは通信回線を介して入力用プロファイル更新手段と接続されており、当該入力用プロファイル更新手段により入力用プロファイルが更新可能となっているため、プロファイルが変更になったり、新しいプロファイルの追加が必要となったりしたときでも、簡単、確実にテーブル内にプロファイルの変更や追加を行うことができる。
【００８４】
請求項５に記載の発明によれば、入力用プロファイルテーブルは画像処理装置外に設けられており、通信回線を介して前記入力用プロファイルテーブルから入力用プロファイルを選択し、当該選択した入力用プロファイルを用いて、入力した画像データから標準色画像データへの変換を行うようになっているため、プロファイルが変更になったり、新しいプロファイルの追加が必要となったりしたときでも、簡単、確実にテーブル内にプロファイルの変更や追加を行うことができる。
【００８５】
請求項６に記載の発明によれば、入力した画像データを標準色画像データに変換する際の入力用プロファイルとして、前記入力した画像データに応じた画像形成プロファイルによって補正された入力装置用プロファイル又はメディア別プロファイルを用いるため、取り込んだ画像データの色と、画像データをプロファイルを用いて変換した後に表示又は出力する際の色とが異なるものとならないようにでき、さらに、異なる出力機器で同じ画像を出力しても双方で色が異ならないようにできる。
【００８６】
請求項７に記載の発明によれば、画像形成プロファイルを外部から入力する必要がある場合に、補正前の入力装置用プロファイル、補正前のメディア別プロファイル及び外部から入力された画像形成プロファイルを蓄積可能であるため、一度、標準色画像データへの変換を行った画像データに用いる入力用プロファイルをすぐに取り出すことができ、効率的に画像処理を行うことができる。
【００８７】
請求項８に記載の発明によれば、入力した画像データを標準色画像データに変換する際に、前記入力した画像データに応じて、入力装置用プロファイルと複数の中から選択されたメディア別プロファイルを組み合わせた入力用プロファイルを用いるため、取り込んだ画像データの色と、画像データをプロファイルを用いて変換した後に表示又は出力する際の色とが異なるものとならないようにでき、さらに、異なる出力機器で同じ画像を出力しても双方で色が異ならないようにできる。
【００８８】
請求項９に記載の発明によれば、入力装置用プロファイル、メディア別プロファイル及び両者の組み合わせに対応した連動プロファイルによって入力用プロファイルを構成するため、よりスムーズに入力用プロファイルを形成することができる。
【００８９】
請求項１０に記載の発明によれば、入力した画像データに応じた入力用プロファイルを組み合わせによって形成した後に、当該プロファイルの変更等により更新が行われる際に、プロファイルに対して唯一無比のＩＤが設定されているため、簡単に更新を行うことができる。
【００９０】
請求項１１に記載の発明によれば、入力装置用プロファイルとメディア別プロファイルの組み合わせが許容されない組み合わせである場合には、その旨報知するようになっているため、操作者は当該報知によって状況を把握することができ、次の対策をとる（ベストではなくとも、ベターである組み合わせを考える等）ことができる。
【図面の簡単な説明】
【図１】本発明の一実施形態に係る画像処理装置を示すブロック図である。
【図２】本発明の一実施形態に係る画像処理装置を示すブロック図である。
【図３】本発明の他の実施形態に係る画像処理装置を示すブロック図である。
【図４】従来の画像処理装置の一例を示すブロック図である。
【図５】従来の画像処理装置の他の例を示すブロック図である。
【符号の説明】
１００，２００  フォトサービスシステム（画像処理装置）
１１０，２１０  画像処理部
１      スキャナ（入力手段）
２      データ書込手段（出力手段）
３      読み取り手段（入力手段）
４      プリント手段（出力手段）
Ａ      アナログ素材
Ｃ      ＣＤＲ（記録媒体）
Ｄ      デジタルデータ
Ｆ１    入力機用プロファイル（入力用プロファイル）
Ｆ２    システム業者サービス業者推奨プロファイル（記録用プロファイル）
Ｆ２ａ  適合プロファイル（入力用プロファイル）
Ｆ３    プリント用プロファイル（出力用プロファイル）
Ｆ５    メディア別プロファイル（入力用プロファイル）
Ｇ１    入力画像データ
Ｇ２    標準色画像データ
Ｇ３    デジタルアルバム用画像データ（出力用画像データ）
Ｇ４    プリント用画像データ（出力用画像データ）
Ｐ１    プリント
Ｓ１    更新用サーバ（入力用プロファイル更新手段）
Ｓ２    システム業者情報サービス業者情報テーブルサーバ（入力用プロファイルテーブル）
Ｔ      システム業者情報サービス業者情報テーブル（入力用プロファイルテーブル）
【図１】
2004179874.tif 000003
【図２】
2004179874.tif 000004
【図３】
2004179874.tif 000005
【図４】
2004179874.tif 000006
【図５】
2004179874.tif 000007